(57)【要約】【課題】  照射対象物の表面で反射され、レーザビームが入射した光路に沿って戻る成分を、照射対象物に再入射させることができるレーザ照射装置を提供する。【解決手段】  レーザ照射装置は、レーザビームを出射するレーザ光源と、レーザビームを照射すべき照射対象物を保持する保持台と、前記レーザ光源から出射されたレーザビームを、前記保持台に保持された照射対象物まで、第１の光路に沿って導くと共に、該照射対象物で反射されて前記第１の光路に沿って戻るビームを、該第１の光路から分岐した第２の光路に沿って伝搬させる分岐光学系と、前記分岐光学系で分岐されて前記第２の光路に沿って伝搬するビームを、前記照射対象物に再入射させる再入射光学系とを有する。【選択図】  図１
2006237489.tif 000002
【特許請求の範囲】
【請求項１】
レーザビームを出射するレーザ光源と、
レーザビームを照射すべき照射対象物を保持する保持台と、
前記レーザ光源から出射されたレーザビームを、前記保持台に保持された照射対象物まで、第１の光路に沿って導くと共に、該照射対象物で反射されて前記第１の光路に沿って戻るビームを、該第１の光路から分岐した第２の光路に沿って伝搬させる分岐光学系と、
前記分岐光学系で分岐されて前記第２の光路に沿って伝搬するビームを、前記照射対象物に再入射させる再入射光学系と
を有するレーザ照射装置。
【請求項２】
前記分岐光学系は、前記第１の光路上に、前記レーザ光源側から順番に配置された分岐光学素子及び偏光光学素子を含み、
前記分岐光学素子は、前記レーザ光源側から第１の光路に沿って入射するレーザビームを、直線偏光光にして前記偏光光学素子に入射させ、
前記偏光光学素子は、前記分岐光学素子側から第１の光路に沿って直線偏光光が入射すると、該偏光光学素子を通過し、前記保持台に保持された照射対象物の表面で反射し、該偏光光学素子に再入射するビームを、前記分岐光学素子から入射する直線偏光光の偏波面と直交する偏波面をもつ直線偏光光にして該分岐光学素子に入射させ、
前記分岐光学素子は、前記偏光光学素子から入射する直線偏光光を第２の光路に沿って出射させる請求項１に記載のレーザ照射装置。
【請求項３】
前記偏光光学素子は、前記分岐光学素子側から第１の光路に沿って入射した直線偏光光を、円偏光に変換して前記照射対象物側に出射させ、該照射対象物で反射し、該偏光光学素子に再入射する円偏光を、前記分岐光学素子から入射する直線偏光光の偏波面と直交する偏波面をもつ直線偏光光にして該分岐光学素子に入射させる請求項２に記載のレーザ照射装置。
【請求項４】
前記再入射光学系は、前記分岐光学系で分岐されて前記第２の光路に沿って伝搬したビームを、該第２の光路に沿って戻して、前記分岐光学系に入射させ、
前記分岐光学系は、前記第２の光路に沿って該分岐光学系に入射したビームを、前記第１の光路に沿って前記照射対象物側に出射させる請求項１〜３のいずれかに記載のレーザ照射装置。
【請求項５】
前記再入射光学系は、ビームを反射させる反射面を含み、さらに、前記照射対象物上のレーザビームの入射位置と、前記再入射光学系の反射面上のビームの入射位置とを、互いに共役な関係にする結像光学系を有する請求項４に記載のレーザ照射装置。
【請求項６】
（ａ）レーザビームを、照射対象物まで、第１の光路に沿って導く工程と、
（ｂ）前記照射対象物で反射されて前記第１の光路に沿って戻るビームを、該第１の光路から分岐した第２の光路に沿って伝搬させる工程と、
（ｃ）前記工程（ｂ）で分岐されて前記第２の光路に沿って伝搬するビームを、前記照射対象物に再入射させる工程と
を有するレーザ照射方法。
【請求項７】
前記照射対象物が、表層に不純物を添加した半導体基板である請求項６に記載のレーザ照射方法。
【請求項８】
レーザビームを出射するレーザ光源と、
レーザビームを照射すべき照射対象物を保持する保持台と、
前記レーザ光源から出射されたレーザビームを、前記保持台に保持された照射対象物まで、第１の光路に沿って導くと共に、第２の光路に沿って伝搬するビームを、該第１の光路に沿って伝搬するレーザビームに合流させる合流光学系と、
前記保持台に保持された照射対象物で反射されたビームを、前記第２の光路に沿うように伝搬させて、前記合流光学素子に導き、前記照射対象物に再入射させる再入射光学系と
を有するレーザ照射装置。
【請求項９】
前記合流光学系は、前記第２の光路が第１の光路に合流する位置に配置された合流光学素子と、前記合流光学素子から出射して前記照射対象物に入射し、前記照射対象物で反射され、前記再入射光学系を経て、前記第２の光路に沿って前記合流光学素子に入射するビームの光路上に配置された偏光光学素子とを含み、
前記レーザ光源は、前記第１の光路に沿って、前記合流光学素子に直線偏光されたレーザビームを入射させ、
該偏光光学素子は、該偏光光学素子に入射するビームの偏波面を９０度旋回させ、
前記合流光学素子は、前記偏光光学素子から出射し、第２の光路に沿って入射する直線偏光光を、第１の光路に沿って出射させる請求項８に記載のレーザ照射装置。
【請求項１０】
（ａ）レーザビームを、照射対象物まで、第１の光路に沿って導く工程と、
（ｂ）前記照射対象物で反射されたレーザビームを、第２の光路に沿うように伝搬させる工程と、
（ｃ）前記第２の光路に沿って伝搬するレーザビームを、前記第１の光路に沿って伝搬するレーザビームに合流させて、前記照射対象物に再入射させる工程と
を有するレーザ照射方法。
【請求項１１】
前記照射対象物が、表層に不純物を添加した半導体基板である請求項１０に記載のレーザ照射方法。
【発明の詳細な説明】
【技術分野】
【０００１】
本発明は、レーザ照射装置及びレーザ照射方法に関し、特に、照射対象物の表面で反射されたレーザビームを、照射対象物に再入射させることができるレーザ照射装置及びレーザ照射方法に関する。
【背景技術】
【０００２】
レーザビームを照射対象物に照射して、加工や表面処理などが行われている。例えば、表層に不純物が添加されたシリコン基板にレーザビームを照射することにより、不純物の活性化を行うことができる。なお、本明細書において、表層に不純物が添加された半導体基板にレーザビームを照射して不純物を活性化することを、「活性化アニール」と呼ぶ。シリコン基板の活性化アニールにおいて、例えばＮｄ系固体レーザの第２高調波（波長５３０ｎｍ程度）を用いる場合、シリコン基板表面が溶融しているときには、例えば５０％程度のレーザビームが、基板表面で反射される。照射対象物の表面で反射されたレーザビームは、照射対象物に再入射させない場合無駄になる。
【０００３】
特許文献１に、照射対象物の表面で反射されたレーザビームを、照射対象物に再入射させるレーザ照射装置が開示されている。特許文献１に開示されたレーザ照射装置は、照射対象物の表面に対し、レーザビームを斜めに入射させる。照射対象物で反射されたレーザビームを、ミラーにより照射対象物の表面の方向に反射させて、照射対象物に再入射させる。なお、特許文献１のレーザ照射装置は、表面に非晶質シリコン膜が形成されたガラス基板にレーザビームを照射して、シリコン膜を多結晶化するアニールに用いられる。
【０００４】
【特許文献１】特開２０００−１３３５９３号公報
【発明の開示】
【発明が解決しようとする課題】
【０００５】
特許文献１のレーザ照射装置は、照射対象物の表面で反射され、レーザビームが照射対象物に入射した光路に沿って戻る成分を、照射対象物に再入射させることができない。例えば、照射対象物の表面でレーザビームが鏡面反射される場合、照射対象物の表面に垂直入射させたレーザビームの反射光を、照射対象物に再入射させることができない。
【０００６】
特許文献１のレーザ照射装置は、また、照射対象物に再入射するレーザビームの入射方向を、照射対象物に最初に入射するレーザビームの入射方向と揃えることができない。
【０００７】
本発明の一目的は、照射対象物の表面で反射され、レーザビームが入射した光路に沿って戻る成分を、照射対象物に再入射させることができるレーザ照射装置及びレーザ照射方法を提供することである。
【０００８】
本発明の他の目的は、照射対象物の表面で反射されたレーザビームを、照射対象物に再入射させることができ、照射対象物に再入射するレーザビームの入射方向を、照射対象物に最初に入射するレーザビームの入射方向と揃えることができるレーザ照射装置を提供することである。
【課題を解決するための手段】
【０００９】
本発明の第１の観点によれば、レーザビームを出射するレーザ光源と、レーザビームを照射すべき照射対象物を保持する保持台と、前記レーザ光源から出射されたレーザビームを、前記保持台に保持された照射対象物まで、第１の光路に沿って導くと共に、該照射対象物で反射されて前記第１の光路に沿って戻るビームを、該第１の光路から分岐した第２の光路に沿って伝搬させる分岐光学系と、前記分岐光学系で分岐されて前記第２の光路に沿って伝搬するビームを、前記照射対象物に再入射させる再入射光学系とを有するレーザ照射装置が提供される。
【００１０】
本発明の第２の観点によれば、（ａ）レーザビームを、照射対象物まで、第１の光路に沿って導く工程と、（ｂ）前記照射対象物で反射されて前記第１の光路に沿って戻るビームを、該第１の光路から分岐した第２の光路に沿って伝搬させる工程と、（ｃ）前記工程（ｂ）で分岐されて前記第２の光路に沿って伝搬するビームを、前記照射対象物に再入射させる工程とを有するレーザ照射方法が提供される。
【００１１】
本発明の第３の観点によれば、レーザビームを出射するレーザ光源と、レーザビームを照射すべき照射対象物を保持する保持台と、前記レーザ光源から出射されたレーザビームを、前記保持台に保持された照射対象物まで、第１の光路に沿って導くと共に、第２の光路に沿って伝搬するビームを、該第１の光路に沿って伝搬するレーザビームに合流させる合流光学系と、前記保持台に保持された照射対象物で反射されたビームを、前記第２の光路に沿うように伝搬させて、前記合流光学素子に導き、前記照射対象物に再入射させる再入射光学系とを有するレーザ照射装置が提供される。
【００１２】
本発明の第４の観点によれば、（ａ）レーザビームを、照射対象物まで、第１の光路に沿って導く工程と、（ｂ）前記照射対象物で反射されたレーザビームを、第２の光路に沿うように伝搬させる工程と、（ｃ）前記第２の光路に沿って伝搬するレーザビームを、前記第１の光路に沿って伝搬するレーザビームに合流させて、前記照射対象物に再入射させる工程とを有するレーザ照射方法が提供される。
【発明の効果】
【００１３】
第１の観点によるレーザ照射装置、または第２の観点によるレーザ照射方法では、照射対象物の表面で反射され、レーザビームが入射した光路に沿って戻る成分を、レーザビームが入射した光路から分岐した光路に沿って伝搬させ、照射対象物に再入射させる。これにより、レーザビームの利用効率を高められる。
【００１４】
第３の観点によるレーザ照射装置、または第４の観点によるレーザ照射方法では、照射対象物で反射されたビームを、照射対象物に最初に入射するレーザビームと合流させる。これにより、照射対象物に再入射するレーザビームの入射方向を、照射対象物に最初に入射するレーザビームの入射方向と揃えることができる。
【発明を実施するための最良の形態】
【００１５】
図１は、本発明の第１の実施例によるレーザ照射装置の概略図である。このレーザ照射装置は、例えば活性化アニールに用いることができる。活性化アニールに用いる場合を例に、説明を続ける。
【００１６】
レーザ光源１が、直線偏光にされたパルスレーザビームを出射する。レーザ光源１として、例えば、第２高調波の発生ユニットを含むＮｄ系固体レーザが用いられる。このようなレーザ光源からは、波長５３０ｎｍ程度のパルスレーザビームが出射され、パルス幅は、例えば１００ｎｓである。
【００１７】
レーザ光源１から出射したレーザビームが、折り返しミラー２で反射されて、偏光ビームスプリッタ３ａに入射する。偏光ビームスプリッタ３ａが、Ｐ偏光成分を透過させ、Ｓ偏光成分を反射する。偏光ビームスプリッタ３ａに入射するレーザビームがＰ偏光となるように、レーザ光源１及び折り返しミラー２が配置されている。偏光ビームスプリッタ３ａを透過したＰ偏光のレーザビームが、１／４波長板３ｂに入射して、円偏光に変換される。１／４波長板３ｂから出射したレーザビームが、表層に不純物が添加されたシリコン基板４の表面に垂直に入射する。ステージ５が、シリコン基板４を保持する。
【００１８】
シリコン基板４に入射したレーザビームの一部が、シリコン基板４で吸収され、吸収されなかったレーザビームが、シリコン基板４の表面で反射される。シリコン基板４の光が照射される表面の表面粗さは、反射光のほとんどが鏡面反射となる程度に小さい。
【００１９】
シリコン基板４の表面で反射され、シリコン基板４に入射したレーザビームの光路に沿って戻る円偏光のレーザビームが、１／４波長板３ｂに入射する。１／４波長板３ｂに入射したレーザビームが、偏光ビームスプリッタ３ａに対するＳ偏光に変換される。１／４波長板３ｂから出射したレーザビームが、偏光ビームスプリッタ３ａに入射して、反射される。
【００２０】
なお、偏光ビームスプリッタ３ａと１／４波長板３ｂとをまとめた分岐光学系３について考えると、分岐光学系３は、レーザ光源１から出射したレーザビームをシリコン基板４まで導くと共に、シリコン基板４で反射され、シリコン基板４に入射したレーザビームの光路に沿って戻るレーザビームを、この光路から分岐した光路に沿って伝搬させる。
【００２１】
偏光ビームスプリッタ３ａで反射されたレーザビームが、折り返しミラー６の反射面に垂直に入射する。折り返しミラー６で反射されたレーザビームが、折り返しミラー６に入射したレーザビームの光路に沿って戻り、偏光ビームスプリッタ３ａに入射して反射される。
【００２２】
偏光ビームスプリッタ３ａで反射されたＳ偏光のレーザビームが、１／４波長板３ｂに入射し、円偏光にされて、シリコン基板４に入射する。このとき、偏光ビームスプリッタ３ａで反射されたレーザビームは、シリコン基板４で反射されて偏光ビームスプリッタ３ａに入射したレーザビームの光路に沿って戻り、シリコン基板４に入射する。つまり、折り返しミラー６で反射された後、偏光ビームスプリッタ３ａで反射されたレーザビームは、レーザ光源１から出射し、偏光ビームスプリッタ３ａを透過して、シリコン基板４に入射したレーザビームの光路に沿って、シリコン基板４に入射する。
【００２３】
なお、レーザビームがシリコン基板４に最初に入射してから再入射するまでに伝搬する光路長が、例えば３ｍのとき、レーザビームがシリコン基板４に最初に入射してから再入射するまでの時間間隔は、１０ｎｓ程度である。このような場合に、レーザビームのパルス幅が例えば１００ｎｓであるとき、最初に入射するショットと、再入射するショットとは、時間的にほぼ重なる。
【００２４】
上述のレーザ照射装置は、分岐光学系３により、レーザ光源１から出射してシリコン基板４に入射するレーザビームの光路から、シリコン基板４で反射されたレーザビームの光路を分岐させ、折り返しミラー６により、分岐した光路に沿って伝搬するレーザビームを偏向させて、シリコン基板４に再入射させる。これにより、レーザビームの利用効率を高められる。
【００２５】
なお、シリコン基板４に再入射したレーザビームの一部が、シリコン基板４で再び反射される。反射されたレーザビームは、１／４波長板３ｂに入射してＰ偏光にされ、偏光ビームスプリッタ３ａを透過する。偏光ビームスプリッタ３ａを透過したレーザビームは、その後、折り返しミラー６に入射しないので、シリコン基板４に入射しない。
【００２６】
シリコン基板４の反射率が例えば５０％であるとすると、光学系等によるパワーの損失がない理想的な場合において、１度目の入射時に、レーザ光源１から出射したレーザビームのパワーの５０％がシリコン基板４で吸収され、２度目の入射時に、レーザ光源１から出射したレーザビームのパワーの２５％がシリコン基板４で吸収される。レーザビームを再入射させることにより、レーザ光源１から出射したレーザビームの７５％をシリコン基板４に吸収させることができる。レーザビームを再入射させない場合の吸収率は５０％なので、上述のような仮定の下、実施例の装置を用いると、レーザビームの利用効率が１．５倍に向上する。
【００２７】
上述のレーザ照射装置では、折り返しミラー６で反射された後、偏光ビームスプリッタ３ａで反射されて、シリコン基板４に入射するレーザビームが、レーザ光源１から出射し、偏光ビームスプリッタ３ａを透過して、シリコン基板４に入射したレーザビームの光路に沿って、シリコン基板４に入射する。これにより、シリコン基板４に再入射するレーザビームの入射方向及び入射位置を、シリコン基板４に最初に入射するレーザビームの入射方向及び入射位置と揃えることができる。
【００２８】
上述のレーザ照射装置では、レーザビームが、シリコン基板４の表面に垂直に入射する。レーザビームがシリコン基板４の表面に斜めに入射する場合に比べて、シリコン基板４の表面上のビームスポットの面積を小さくできるので、ビームスポット内のパルスエネルギ密度（またはパワー密度）を高められる。
【００２９】
次に、図２を参照して、第２の実施例によるレーザ照射装置について説明する。第２のレーザ照射装置は、第１の実施例のレーザ照射装置において、レーザ光源１から折り返しミラー２までの光路上にホモジナイザ１１を追加し、分岐光学系３からシリコン基板４までの光路上にレンズ１２を追加し、偏光ビームスプリッタ３ａから折り返しミラー６までの光路上にレンズ１３を追加した構成を有する。
【００３０】
レーザ光源１から出射したレーザビームが、ホモジナイザ１１に入射する。例えば、第２高調波の発生ユニットを含むＮｄ系固体レーザから出射したレーザビームの断面は円形で、ビーム断面内の光強度分布はガウス分布で近似される。ホモジナイザ１１から出射したレーザビームが、折り返しミラー２で反射されて、ホモジナイザ１１のホモジナイズ面１１ａを通過し、偏光ビームスプリッタ３ａに入射する。ホモジナイザ１１により、ホモジナイズ面１１ａ上のビーム断面が、一方向に細長い形状に整形され、ホモジナイズ面１１ａ上のビーム断面内の光強度分布が、均一に近づけられる。
【００３１】
偏光ビームスプリッタ３ａを透過したレーザビームが、１／４波長板３ｂ及びレンズ１２を透過してシリコン基板４に入射する。レンズ１２は、ホモジナイズ面１１ａ上のビーム断面を、シリコン基板４の表面に結像させる。これにより、シリコン基板４の表面において、ホモジナイズ面１１ａ上のビーム断面と相似な形状の領域に、ビーム断面内の光強度分布が均一化されたレーザビームが照射される。
【００３２】
シリコン基板４で反射されたレーザビームが、レンズ１２及び１／４波長板３ｂを透過して、偏光ビームスプリッタ３ａに入射し、偏光ビームスプリッタ３ａで反射される。偏光ビームスプリッタ３ａで反射されたレーザビームが、レンズ１３を透過して、折り返しミラー６に入射する。折り返しミラー６で反射されたレーザビームが、レンズ１３を透過して、偏光ビームスプリッタ３ａに入射し、偏光ビームスプリッタ３ａで反射されたレーザビームが、１／４波長板３ｂ及びレンズ１２を透過して、シリコン基板４に入射する。
【００３３】
レンズ１３及びレンズ１２が協同し、シリコン基板４の表面上のレーザビームの入射位置と、折り返しミラー６の反射面上のレーザビームの入射位置とを、互いに共役な関係とする。つまり、シリコン基板４の表面上のビーム断面が、折り返しミラー６の反射面に結像し、かつ折り返しミラー６の反射面上のビーム断面が、シリコン基板４の表面に結像する。これにより、シリコン基板４の表面に一度目に入射するレーザビームの断面と、シリコン基板４の表面に再入射するレーザビームの断面とを一致させることができる。
【００３４】
なお、分岐光学系３からシリコン基板４までの光路上に配置されたレンズ１２のみで、シリコン基板４の表面上のレーザビームの入射位置と、折り返しミラー６の反射面上のレーザビームの入射位置とを、互いに共役な関係にできる場合は、偏光ビームスプリッタ３ａから折り返しミラー６までの光路上に、レンズ１３を配置しない構成にできる。
【００３５】
以上の実施例で説明したレーザ照射装置を、活性化アニール以外に応用しても構わない。例えば、表面に非晶質シリコンが形成されたガラス基板にレーザビームを照射して、シリコンの多結晶化を行うアニールや、表面に多結晶シリコンが形成されたガラス基板にレーザビームを照射して、多結晶シリコンの粒径を拡大するアニール等に応用することができる。
【００３６】
なお、上述の実施例のレーザ照射装置では、レーザ光源から出射して照射対象物に入射するレーザビームの光路から、照射対象物で反射されたレーザビームの光路を分岐させる分岐光学素子として、偏光ビームスプリッタ用いたが、以下のような機能を持つ光学素子であれば、分岐光学素子として用いることができる。分岐光学素子は、レーザ光源側から分岐光学素子に入射したレーザビームを、直線偏光光にして、１／４波長板に入射させる。分岐光学素子側から１／４波長板を通過したレーザビームが、照射対象物で反射され、照射対象物側から再び１／４波長板を通過して、再び分岐光学素子に入射する。照射対象物側から１／４波長板を通過したレーザビームは、分岐光学素子側から１／４波長板に入射する直線偏光光の偏波面と直交する偏波面を持つ直線偏光光にされている。分岐光学素子は、１／４波長板から分岐光学素子に入射した直線偏光光を、レーザ光源側から分岐光学素子に入射したレーザビームの光路から分岐した光路に沿って出射させる。分岐光学素子として、偏光ビームスプリッタの他に、例えば、シンフィルムポラライザ、グラントムソンプリズム、ウォラストンプリズム等を用いることができる。
【００３７】
なお、上述の実施例のレーザ照射装置では、レーザ光源がパルスレーザビームを出射したが、必要に応じて、連続波レーザビームを出射するレーザ光源を用いても構わない。
【００３８】
なお、以下のような構成のレーザ照射装置を作製することも可能である。第１の実施例のレーザ照射装置において、分岐光学系から照射対象物までの光路上に、ガルバノスキャナとｆθレンズとを挿入する。分岐光学系から出射したレーザビームの伝搬方向を、ガルバノスキャナで所望の方向に振り、ｆθレンズに入射させる。ｆθレンズから出射したレーザビームを、照射対象物の表面に垂直入射させる。照射対象物で反射され、入射光の光路に沿って戻る成分が、ｆθレンズとガルバノスキャナを経て、分岐光学系に入射する。分岐光学系で分岐されたレーザビームが、再びガルバノスキャナとｆθレンズとを経て、照射対象物に再入射する。このようなレーザ照射装置を用いても、レーザビームの利用効率を高められる。
【００３９】
次に、図３を参照して、第３の実施例によるレーザ照射装置について説明する。レーザ光源２１が、偏光ビームスプリッタ２２ａに対するＰ偏光のレーザビームを出射する。レーザ光源２１から出射したレーザビームが、偏光ビームスプリッタ２２ａを透過し、照射対象物２３の表面に斜めに入射する。ステージ２４が、照射対象物２３を保持する。
【００４０】
照射対象物２３で反射されたレーザビームが、折り返しミラー２５で反射され、１／２波長板２２ｂに入射する。１／２波長板２２ｂが、１／２波長板２２ｂに入射するレーザビームの偏波面を９０度旋回し、偏光ビームスプリッタ２２ａに対するＳ偏光を出射する。１／２波長板２２ｂから出射したレーザビームが、偏光ビームスプリッタ２２ａで反射されて、照射対象物２３に再び入射する。照射対象物２３に再入射するレーザビームの光路は、最初に入射するレーザビームの光路と一致する。
【００４１】
なお、偏光ビームスプリッタ２２ａと１／２波長板２２ｂとをまとめた合流光学系２２について考えると、合流光学系２２は、レーザ光源２１から出射したレーザビームを照射対象物２３まで導くと共に、照射対象物２３で反射され、折り返しミラー２５を経て合流光学系２２に入射するレーザビームを、レーザ光源２１から出射して照射対象物２３に入射するレーザビームに合流させる。
【００４２】
第３の実施例によるレーザ照射装置は、照射対象物２３で反射されたレーザビームを、照射対象物２３に再入射させるので、レーザビームの利用効率を高められる。照射対象物２３で反射したレーザビームが、レーザ光源２１から出射されて照射対象物２３に入射するレーザビームに合流されるので、照射対象物２３に再入射するレーザビームの入射方向及び入射位置を、照射対象物２３に最初に入射するレーザビームの入射方向及び入射位置と揃えることができる。
【００４３】
なお、第３の実施例のレーザ照射装置では、照射対象物で反射したレーザビームを、レーザ光源から出射されて照射対象物に入射するレーザビームに合流させる合流光学素子として、偏光ビームスプリッタ用いたが、互いに直交する偏波面を持つ２本のビームを合流させられる他の光学素子、例えば、シンフィルムポラライザ、グラントムソンプリズム、ウォラストンプリズム等を、合流光学素子として用いることもできる。
【００４４】
以上実施例に沿って本発明を説明したが、本発明はこれらに制限されるものではない。例えば、種々の変更、改良、組み合わせ等が可能なことは当業者に自明であろう。
【図面の簡単な説明】
【００４５】
【図１】本発明の第１の実施例によるレーザ照射装置の概略図である。
【図２】第２の実施例によるレーザ照射装置の概略図である。
【図３】第３の実施例によるレーザ照射装置の概略図である。
【符号の説明】
【００４６】
１  レーザ光源
２  折り返しミラー
３  分岐光学系
３ａ  偏光ビームスプリッタ
３ｂ  １／４波長板
４  シリコン基板
５  ステージ
６  折り返しミラー
１１  ホモジナイザ
１２、１３  レンズ
２１  レーザ光源
２２  合流光学系
２２ａ  偏光ビームスプリッタ
２２ｂ  １／２波長板
２３  照射対象物
２４  ステージ
２５  折り返しミラー
【図１】
2006237489.tif 000003
【図２】
2006237489.tif 000004
【図３】
2006237489.tif 000005